(57)【特許請求の範囲】
【請求項１】
段積みされた荷物に巻きつけて、第１端部を第２端部に設けられた挿入口に挿通して折返して引き締めてバンド固定部により着脱自在に固定することにより、前記段積みされた荷物を結束して荷崩れを防止するための荷崩れ防止バンドであって、
前記荷物が結束されている状態において、前記荷物の表面が視認可能であり、ポリエステルを含んで構成される透明帯部と、
前記透明帯部とは異なる素材で構成され、前記荷崩れ防止バンドの長手方向に沿う両側に配置されて、前記荷物に当接する箇所において所定の滑性を備える当接部と、を有し、
前記第２端部は、前記第１端部に対向し、前記荷崩れ防止バンドの短手方向に沿って配設されて前記短手方向の長さと同等の長さを有する第２袋状部と、前記第２袋状部に封入される第２棒状部と、を含み、
前記当接部及び前記第２袋状部は、ナイロンを含んで構成され、
前記透明帯部と前記当接部とは、縫合、圧着又は接着されている荷崩れ防止バンド。
【請求項２】
前記第１端部は、前記荷崩れ防止バンドの短手方向に沿って配設されて前記短手方向の長さと同等の長さである第１袋状部と、前記第１袋状部に封入されて前記第１袋状部と同等の長さである所定の剛性を備える第１棒状部と、を含み、
前記第２棒状部は、所定の剛性を備える請求項１に記載の荷崩れ防止バンド。
【請求項３】
前記バンド固定部は、第１面ファスナーと第２面ファスナーとを含み、前記荷崩れ防止バンドの前記長手方向に沿った第２面ファスナーの長さが前記長手方向に沿った第１面ファスナーの長さ以上である請求項２に記載の荷崩れ防止バンド。
【請求項４】
前記第２端部は、前記第２端部を前記荷物に係着するための引掛け部を更に含む請求項２又は３に記載の荷崩れ防止バンド。
【請求項５】
前記第１棒状部及び前記第２棒状部は、金属又はセラミックを主な素材とする場合は直径が略６ミリメートルから略２４ミリメートルであり、木材又はプラスチックを主な素材とする場合は直径が略１２ミリメートルから略３６ミリメートルである請求項２から４のいずれかに記載の荷崩れ防止バンド。
【請求項６】
前記当接部及び前記第２袋状部は、さらにポリエステルを含む合成繊維を主な素材とする請求項２から５のいずれかに記載の荷崩れ防止バンド。
【発明の詳細な説明】
【技術分野】
【０００１】
本発明は、段積みされた荷物を結束して荷崩れを防止するための荷崩れ防止バンドに関する。
【背景技術】
【０００２】
従来から、台車上やパレット上に段積みされた荷物を結束して荷崩れを防止するための荷崩れ防止バンドは存在した。例えば特許文献１には、段積みされた荷物に巻付け固定するための荷崩れ防止バンドが開示されている。
【特許文献１】特許第３７８７５５９号公報
【発明の開示】
【発明が解決しようとする課題】
【０００３】
特許文献１に記載の荷崩れ防止バンドは、段積みされた荷物に巻付け固定することにより、例えば工場や配送センター等において、作業者が台車やパレットを用いて荷物を移動する際に、荷崩れを防止して作業の安全性および効率性を向上させる。
【０００４】
しかしながら、荷崩れ防止バンドによって段積みされた荷物を結束する場合、当然ながら結束された荷物の表面は荷崩れ防止バンドによって覆い隠されることとなり、作業者は荷物の表面が視認できなくなる可能性がある。
【０００５】
ここで、荷物の表面には荷物の中身に関する情報や、荷物の取り扱いに関する情報が記載されている場合がある。作業者がこれらの情報を視認できなくなると、荷物を取り違えたり、荷物の取り扱いを誤ったりする可能性が高まり、作業の安全性および効率性を低下させる可能性がある。
【０００６】
そこで、本発明は、荷物が結束されている状態において、荷物の表面が視認可能である荷崩れ防止バンドを提供することを目的とする。
【課題を解決するための手段】
【０００７】
上記の課題を解決するために、本発明は以下のようなものを提供する。
【０００８】
本発明の請求項１に記載の構成は、段積みされた荷物に巻きつけて、第１端部を第２端部に設けられた挿入口に挿通して折り返して引き締めてバンド固定部により着脱自在に固定することにより、前記段積みされた荷物を結束して荷崩れを防止するための荷崩れ防止バンドであって、前記荷物が結束されている状態において、前記荷物の表面が視認可能である透明帯部を含む荷崩れ防止バンドを含む。
【０００９】
本発明の請求項１に記載の構成によれば、前記荷崩れ防止バンドは、前記透明帯部は、前記荷物が結束されている状態において、前記荷物の表面が視認可能である。
【００１０】
従って、前記荷崩れ防止バンドは、前記透明帯部は、前記荷物が結束されている状態において、作業者が前記荷物の表面に記載された商品名やラベル表示や番号表示等を視認することを可能にする。
【００１１】
その結果、前記荷崩れ防止バンドは、前記荷物が結束されている状態において、前記作業者が前記荷物の表面に記載された商品名やラベル表示や番号表示等をより容易に確認できる環境を提供できるため、前記作業者が荷物を取り違えたり、荷物の取り扱いを誤ったりする可能性を低減させ、作業の安全性および効率性を向上させると考えられる。
【００１２】
本発明の請求項２に記載の構成は、請求項１に記載の構成に加えて、前記第１端部は、前記荷崩れ防止バンドの短手方向に沿って配設されて前記短手方向の長さと同等の長さである第１袋状部と、前記第１袋状部に封入されて前記第１袋状部と同等の長さである所定の剛性を備える第１棒状部と、を含み、前記第２端部は、前記第１端部に対向し、前記荷崩れ防止バンドの短手方向に沿って配設されて前記短手方向の長さと同等の長さである第２袋状部と、前記第２袋状部に封入されて前記第２袋状部と同等の長さである所定の剛性を備える第２棒状部と、を含む荷崩れ防止バンドを更に含む。
【００１３】
本発明の請求項２に記載の構成によれば、請求項１に記載の作用に加えて、前記荷崩れ防止バンドは、前記第１端部及び前記第２端部は、それぞれ前記第１袋状部及び前記第２袋状部と同等の長さであり所定の剛性を備えた前記第１棒状部及び第２棒状部を含むことにより、前記第１端部を前記第２端部に設けられた前記挿入口に挿通して折り返して引き締めた際に、前記荷崩れ防止バンドの形状が歪んで短手方向の長さが短くなることを抑制する。
【００１４】
従って、前記荷崩れ防止バンドは、前記作業者が前記第１端部を前記第２端部に設けられた前記挿入口に挿通して折り返して引き締めた際に、前記荷崩れ防止バンドの前記段積みされた荷物を結束する力を前記荷崩れ防止バンド全体の短手方向に略均一となるように伝達することができる。
【００１５】
その結果、前記荷崩れ防止バンドは、例えば工場や配送センター等において、作業者が前記段積みされた荷物を結束する際に、前記段積みされた荷物を広い面積でしっかりと結束することを可能にし、前記段積みされた荷物を結束した後で荷崩れが発生する可能性を低減させ、作業の安全性及び効率性を更に向上させると考えられる。
【００１６】
なお、ここで、前記所定の剛性とは、前記作業者が前記第１端部を前記第２端部に設けられた前記挿入口に挿通して折り返して引き締めた際に、前記第１端部及び前記第２端部の形状が短手方向に大きく変形することを抑制する程度のものが望ましい。従って、引き締める力を前記荷崩れ防止バンド全体の短手方向に略均一となるように伝達する作用を促進することができると考えられる。
【００１７】
本発明の請求項３に記載の構成は、請求項２に記載の構成に加えて、前記荷物と当接する箇所において、所定の滑性を備える当接部を更に含む荷崩れ防止バンドを更に含む。
【００１８】
本発明の請求項３に記載の構成によれば、請求項２に記載の作用に加えて、前記荷崩れ防止バンドは、所定の滑性を備える当接部を更に含むことにより、前記第１端部を前記第２端部に設けられた前記挿入口に挿入して折り返して引き締めた際に、前記荷崩れ防止バンドと前記段積みされた荷物の接触面の滑りをよくする。
【００１９】
従って、前記荷崩れ防止バンドは、前記作業者が前記第１端部を前記第２端部に設けられた前記挿入口に挿通して折り返して引き締めた際に、前記段積みされた荷物を結束する力を前記荷崩れ防止バンド全体の長手方向に略均一となるように伝達することができる。
【００２０】
その結果、前記荷崩れ防止バンドは、例えば工場や配送センター等において、作業者が前記段積みされた荷物を結束する際に、前記荷崩れ防止バンドと前記段積みされた荷物との間に局所的に力が加わることにより、たわみやゆるみが発生することを抑止し、前記段積みされた荷物を結束した後で荷崩れが発生する可能性を低減させ、作業の安全性及び効率性を更に向上させると考えられる。
【００２１】
なお、ここで、所定の滑性とは、前記作業者が前記第１端部を前記挿入口に挿入して折り返して引き締めた際に、前記段積みされた荷物と前記荷崩れ防止バンドが局所的に圧着して動かなくなることを抑制する程度のものが望ましい。従って引き締める力を前記荷崩れ防止バンド全体の長手方向に略均一となるように伝達する作用を促進することができると考えられる。
【００２２】
本発明の請求項４に記載の構成は、請求項３に記載の構成に加えて、前記バンド固定部は、第１面ファスナーと第２面ファスナーとを含み、前記荷崩れ防止バンドの長手方向に沿った第２面ファスナーの長さが前記長手方向に沿った第１面ファスナーの長さ以上である荷崩れ防止バンドを更に含む。
【００２３】
本発明の請求項４に記載の構成によれば、請求項３に記載の作用に加えて、前記荷崩れ防止バンドは、前記バンド固定部は、前記荷崩れ防止バンドの長手方向に沿った第２面ファスナーの長さが前記長手方向に沿った第１面ファスナーの長さ以上であることにより、前記第１面ファスナーと前記第２面ファスナーとを接合することにより結束することが可能な前記段積みされた荷物の外周の許容範囲を広げる。
【００２４】
従って、前記荷崩れ防止バンドは、前記バンド固定部は、より多様な種類及び組み合わせの前記段積みされた荷物を結束することができる。
【００２５】
その結果、前記荷崩れ防止バンドは、例えば工場や配送センター等において、作業者が前記段積みされた荷物を結束する際に、同一規格の前記荷崩れ防止バンドを適用可能な荷物及び荷物の組み合わせが増えることから、複数規格の前記荷崩れ防止バンドを用意して使い分ける必要性を低減させ、作業の効率性を更に向上させると考えられる。更に導入に伴うコスト軽減にも貢献すると考えられる。
【００２６】
本発明の請求項５に記載の構成は、請求項３又は４のいずれかに記載の構成に加えて、前記第２端部を前記荷物に係着するための引掛け部を更に含む荷崩れ防止バンドを更に含む。
【００２７】
本発明の請求項５に記載の構成によれば、請求項３又は４のいずれかに記載の作用に加えて、前記荷崩れ防止バンドは、前記第２端部は、作業者が前記段積みされた荷物を結束する際に、前記第２端部を前記荷物に係着するための引掛け部を前記荷物と前記荷物の隙間に挟み込むことにより、前記荷崩れ防止バンドが落下することを防止する。
【００２８】
従って、前記荷崩れ防止バンドは、前記第２端部は、前記作業者が前記段積みされた荷物を結束する際に、所定の長さの引掛け部を荷物と荷物の隙間等に挟み込むことにより、前記荷崩れ防止バンドが落下することを防止することができる。
【００２９】
その結果、例えば工場や配送センター等において、作業者が前記段積みされた荷物を結束する際に、前記段積みされた荷物が巨大である場合でも、前記作業者が他の作業者の手を借りずに単独で前記段積みされた荷物を結束することを可能にし、作業の効率性を更に向上させると考えられる。
【００３０】
本発明の請求項６に記載の構成は、請求項３から５のいずれかに記載の構成に加えて、前記透明帯部は、少なくともポリエステルを含む化合物を主な素材とする荷崩れ防止バンドを更に含む。
【００３１】
本発明の請求項６に記載の構成によれば、請求項３から５のいずれかに記載の作用に加えて、前記荷崩れ防止バンドは、前記透明帯部は、少なくともポリエステルを含む化合物を主な素材とすることにより、製品としての耐久性や使用感等の観点からも、特に好適な態様において、前記荷物が結束されている状態において、前記荷物の表面が視認可能である。
【００３２】
更に、前記荷崩れ防止バンドは、製品としての耐久性や使用感等の観点からも、特に好適な態様において、前記荷物が結束されている状態において、前記作業者が前記荷物の表面に記載された商品名やラベル表示や番号表示等を視認することを可能にする。
【００３３】
その結果、前記荷崩れ防止バンドは、前記作業者が前記荷物の表面に記載された商品名やラベル表示や番号表示等を視認することを可能にする効果を持ちつつ、製品としての耐久性や使用感等の観点からも、使い勝手のよい製品として提供される可能性が高まり、作業の安全性及び効率性を更に向上させる可能性があると考えられる。
【００３４】
本発明の請求項７に記載の構成は、請求項３から６のいずれかに記載の構成に加えて、前記第１棒状部及び前記第２棒状部は、金属又はセラミックを主な素材とする場合は直径が略６ミリメートルから略２４ミリメートルであり、木材又はプラスチックを主な素材とする場合は直径が略１２ミリメートルから略３６ミリメートルである荷崩れ防止バンドを更に含む。
【００３５】
本発明の請求項７に記載の構成によれば、請求項３から６のいずれかに記載の作用に加えて、特に好適な態様において、前記第１端部を前記第２端部に設けられた前記挿入口に挿通して折り返して引き締めた際に、前記荷崩れ防止バンドの形状が歪んで短手方向の長さが短くなることを抑制する。
【００３６】
更に、前記荷崩れ防止バンドは、製品としての耐久性や使用感等の観点からも、特に好適な態様において、前記段積みされた荷物を結束する力を前記荷崩れ防止バンド全体の短手方向に略均一となるように伝達することができる。
【００３７】
その結果、前記荷崩れ防止バンドは、前記段積みされた荷物を結束する力を前記荷崩れ防止バンド全体の短手方向に略均一となるように伝達する効果を持ちつつ、製品としての耐久性や使用感等の観点からも、使い勝手のよい製品として提供される可能性が高まり、作業の安全性及び効率性を更に向上させる可能性があると考えられる。
【００３８】
本発明の請求項８に記載の構成は、請求項３から７のいずれかに記載の構成に加えて、前記当接部及び前記第２袋状部は、少なくともナイロン又はポリエステルを含む合成繊維を主な素材とする荷崩れ防止バンドを更に含む。
【００３９】
本発明の請求項８に記載の構成によれば、請求項３から７のいずれかに記載の作用に加えて、前記荷崩れ防止バンドは、前記当接部及び前記第２袋状部は、特に好適な態様において、前記第１端部を前記第２端部に設けられた前記挿入口に挿入して折り返して引き締めた際に、前記荷崩れ防止バンドと前記段積みされた荷物の接触面の滑りをよくする。
【００４０】
更に、前記荷崩れ防止バンドは、製品としての耐久性や使用感等の観点からも、より好適な態様において、前記荷物が結束されている状態において、前記段積みされた荷物を結束する力を前記荷崩れ防止バンド全体の長手方向に略均一となるように伝達することができる。
【００４１】
その結果、前記荷崩れ防止バンドは、前記段積みされた荷物を結束する力を前記荷崩れ防止バンド全体の長手方向に略均一となるように伝達する効果はそのままに、製品としての耐久性や使用感等の観点からも、使い勝手のよい製品として提供される可能性が高まり、作業の安全性及び効率性を更に向上させる可能性があると考えられる。
【発明の効果】
【００４２】
本発明によれば、荷物が結束されている状態において、荷物の表面が視認可能である荷崩れ防止バンドを提供することができる。
【発明を実施するための最良の形態】
【００４３】
以下、添付の図面を参照しながら、本発明の好適な実施形態の一例を詳細に説明する。
【００４４】
なお、本発明の好適な実施形態の一例における構成要素は、適宜既存の構成要素等との置き換えが可能であり、又、他の既存の構成要素との組み合わせを含む様々なバリエーションが可能であって、本発明の好適な実施形態の一例の記載をもって、特許請求の範囲に記載された発明の内容を限定するものではない。
【００４５】
図１は、本発明の好適な実施形態の一例に係る荷崩れ防止バンド１０の表面図である。
【００４６】
図１の表面図に示すように、荷崩れ防止バンド１０は、透明帯部１１、第１端部１２、第２端部１３、バンド固定部１４を含んでよい。尚、荷崩れ防止バンド１０は、これらの構成部を互いに縫合、圧着、接着することにより製造されてよい。
【００４７】
ここで、透明帯部１１は、荷物に巻付けることができる柔軟性及び前記荷物の表面が視認可能である透明性を備えた素材により構成されてよい。例えば、ポリエステルであってよく、ポリエステルを合成樹脂でラミネート加工したターポリンであってよい。
【００４８】
又、ここで、第１端部１２は、第１袋状部１２ａ、第１棒状部１２ｂ、取手口１２ｃを含んでよい。尚、図１においては、第１棒状部１２ｂは、第１袋状部１２ａに封入されているため表示されていない。
【００４９】
ここで、第１袋状部１２ａは、荷崩れ防止バンド１０の短手方向の長さと同等の長さであってよい。又、第１袋状部１２ａは、適度に滑性を備えたナイロン等の素材により構成されてよい。
【００５０】
又、第１棒状部１２ｂは、長さは第１袋状部１２ａ及び荷崩れ防止バンド１０の短手方向の長さと同等であってよく、直径は素材に応じて略６ミリメートルから略３６ミリメートルであってよい。又、第１棒状部１２ｂは、所定の剛性を備えた素材により構成されてより。例えば、金属、セラミック、木材、プラスチック、カーボンファイバー等で構成されてよい。
【００５１】
又、取手口１２ｃは、作業者が把持するための、第１端部１２に設けられた空隙であり、１つであってもよく、２つ以上であってもよい。
【００５２】
又、ここで、第２端部１３は、第２袋状部１３ａ、第２棒状部１３ｂ、挿入口１３ｃを含んでよい。尚、図１においては、第２棒状部１３ｂは、第２袋状部１３ａに封入されているため表示されていない。
【００５３】
ここで、第２袋状部１３ａは、荷崩れ防止バンド１０の短手方向の長さと同等の長さであってよい。又、第２袋状部１３ａは、適度に滑性を備えたナイロン等の素材により構成されてよい。又、１つであってもよく、２つ以上であってもよいが、挿入口１３ｃよりも更に縁端となる側に、最低でも１つは備えられることが望ましい。
【００５４】
又、第２棒状部１３ｂは、長さは第２袋状部１３ａ及び荷崩れ防止バンド１０の短手方向の長さと同等であってよく、直径は素材に応じて略６ミリメートルから略３６ミリメートルであってよい。又、第２棒状部１３ｂは、所定の剛性を備えた素材により構成されてより。例えば、金属、セラミック、木材、プラスチック、カーボンファイバー等で構成されてよい。
【００５５】
又、挿入口１３ｃは、第１端部１２を挿入するための、第２端部１３に設けられた空隙であり、長さは第１端部１２の長さより長いことが望ましく、幅は略３５ミリメートルから略１４０ミリメートルであることが望ましい。
【００５６】
又、ここで、バンド固定部１４は、第１面ファスナー１４ａ、第２面ファスナー１４ｂを含んでよい。
【００５７】
ここで、第１面ファスナー１４ａは、オス部を持つ面ファスナーで構成されてよく、第１端部１２の近傍に構成されることが望ましい。
【００５８】
ここで、第２面ファスナー１４ｂは、メス部を持つ面ファスナーで構成されてよく、第１面ファスナー１４ａを折り返した際に接合する部分にあたる透明帯部１１の近傍に構成されることが望ましい。又、前記段積みされた荷物の外周の許容範囲を広げるために、荷崩れ防止バンド１０の長手方向に十分な長さを持つことが望ましい。
【００５９】
図２は、本発明の好適な実施形態の一例に係る荷崩れ防止バンド１０の裏面図である。
【００６０】
図２の裏面図に示すように、荷崩れ防止バンド１０は、図１に示された構成要素に加えて、引掛け部１３ｄ、当接部１５を含んでよい。尚、荷崩れ防止バンド１０は、これらの構成部を互いに縫合、圧着、接着することにより製造されてよい。
【００６１】
ここで、引掛け部１３ｄは、前記第２端部を前記荷物に係着するために、第２端部１３の近傍に構成されることが望ましい。又、１つであってもよく、２つ以上であってもよい。
【００６２】
ここで、当接部１５は、前記荷物との摩擦を軽減するために、荷崩れ防止バンド１０の長手方向に十分な長さを持つことが望ましい。又、当接部１５は、適度に滑性を備えたナイロン等の素材により構成されてよい。又、１つであってもよく、２つ以上であってもよい。
【００６３】
図３は、本発明の好適な実施形態の一例に係る荷崩れ防止バンド１０の第１端部１２付近における側面図である。
【００６４】
丸く膨らんだ第１袋状部１２ａの内側に、点線で第１棒状部１２ｂが表示されている。又、第１端部１２の表面には、オス部を持つ第１面ファスナー１４ａが表示され、透明帯部１１の表面には、メス部を持つ第２面ファスナー１４ｂが表示されている。
【００６５】
図４は、本発明の好適な実施形態の一例に係る荷崩れ防止バンド１０の第２端部１３付近における側面図である。
【００６６】
丸く膨らんだ２つの第２袋状部１３ａの内側に、点線で２つの第２棒状部１３ｂが表示されている。
【００６７】
図５は、本発明の好適な実施形態の一例に係る荷崩れ防止バンド１０のバリエーションの表面図である。
【００６８】
図５を図１と比較すると、荷崩れ防止バンド１０の短手方向の長さを延長し、バンド固定部１４の数を２つから３つに変更している。
【００６９】
このバリエーションにおいては、荷崩れ防止バンド１０の短手方向の長さが長いため、より高く段積みされた荷物に対応しやすいと考えられる。
【００７０】
図６は、本発明の好適な実施形態の一例に係る荷崩れ防止バンド１０を段積みされた荷物２０に取り付ける作業手順の概略図である。
【００７１】
先ず、図６（ａ）に示す通り、引掛け部１３ｄを段積みされた荷物２０の隙間に引掛けて固定し、荷崩れ防止バンド１０を段積みされた荷物２０の外周に巻付ける。この際、引掛け部１３ｄにより第２端部が段積みされた荷物２０と係着されるため、例え段積みされた荷物２０が巨大であっても、１人の作業者が他の作業者の手を借りずに単独で作業を実施しやすい。
【００７２】
次に、図６（ｂ）に示す通り、第１端部１２を第２端部１３に設けられた挿入口１３ｃに挿通し、折り返し、引き締める。この際、第１端部１２の第１棒状部１２ｂ、第２端部１３の第２棒状部１３ｂ、当接部１５等の作用により、引き締める力を前記荷崩れ防止バンド全体の短手方向及び長手方向に略均一となるように伝達でき、段積みされた荷物２０をたわみやゆるみなく広い面積でしっかりと結束できる。尚、挿入口１３ｃ、第１棒状部１２ｂ、第２棒状部１３ｂ、当接部１５の位置関係については図１、図２、図３、図４を参照すること。
【００７３】
最後に、図６（ｃ）に示す通り、第１端部をバンド固定部１４により着脱自在に固定する。この際、前記段積みされた荷物２０が結束されている状態において、前記段積みされた荷物の表面が視認可能であることがポイントである。尚、バンド固定部１４の位置関係については図１、図３を参照すること。
【図面の簡単な説明】
【００７４】
【図１】本発明の好適な実施形態の一例に係る荷崩れ防止バンド１０の表面図である。
【図２】本発明の好適な実施形態の一例に係る荷崩れ防止バンド１０の裏面図である。
【図３】本発明の好適な実施形態の一例に係る荷崩れ防止バンド１０の第１端部１２付近における側面図である。
【図４】本発明の好適な実施形態の一例に係る荷崩れ防止バンド１０の第２端部１３付近における側面図である。
【図５】本発明の好適な実施形態の他の一例に係る荷崩れ防止バンド１０の表面図である。
【図６】本発明の好適な実施形態の一例に係る荷崩れ防止バンド１０を段積みされた荷物２０に取り付ける作業手順の概略図である。
【符号の説明】
【００７５】
１０  荷崩れ防止バンド
１１  透明帯部
１２  第１端部
１２ａ  第１袋状部
１２ｂ  第１棒状部
１２ｃ  取手口
１３  第２端部
１３ａ  第２袋状部
１３ｂ  第２棒状部
１３ｃ  挿入口
１３ｄ  引掛け部
１４  バンド固定部
１４ａ  第１面ファスナー
１４ｂ  第２面ファスナー
１５  当接部
２０  段積みされた荷物
【要約】
【課題】荷物が結束されている状態において、荷物の表面が視認可能である荷崩れ防止バンドを提供すること。
【解決手段】段積みされた荷物２０に巻きつけて、第１端部１２を第２端部１３に設けられた挿入口１３ｃに挿通して折り返して引き締めてバンド固定部１４により着脱自在に固定することにより、前記段積みされた荷物２０を結束して荷崩れを防止するための荷崩れ防止バンド１０であって、前記荷物が結束されている状態において、前記荷物の表面が視認可能である透明帯部１１を含む荷崩れ防止バンド１０を提供する。
【選択図】図１【図１】
0004146882.tif 000002
【図２】
0004146882.tif 000003
【図３】
0004146882.tif 000004
【図４】
0004146882.tif 000005
【図５】
0004146882.tif 000006
【図６】
0004146882.tif 000007